(57)【要約】      （修正有）【課題】上手な写真を撮影するための有用な情報を提供する。【解決手段】撮影地情報、及び撮影時のアイテムに関する情報が関連付けられた画像データを記憶する画像記憶部２６と、通信可能な端末のアドレス、及び所定のアイテムに関する情報を記憶する個人情報記憶部２４とを有し、前記撮影地情報が登録された際に、前記撮影時のアイテムの中に前記所定のアイテムと一致するものが含まれる場合、前記撮影地情報、及び前記撮影時のアイテムに関する情報を前記アドレスに通知する通知部２２とを備える。【選択図】図２
2015026107.tif 000002
【特許請求の範囲】
【請求項１】
撮影地情報、及び撮影時のアイテムに関する情報が関連付けられた画像データを記憶する画像記憶部と、
前記画像データに対する評価の評価値を取得する評価取得部と、
前記画像記憶部に記憶されている前記画像データに前記評価取得部により取得した前記評価値を関連付けて記憶させる記憶制御部と、
前記画像データに関連付けられた前記評価値が所定の閾値を超えた場合、前記画像データに関連付けられている撮影地情報を、前記評価値が前記所定の閾値を超えていない他の画像データに関連付けられている他の撮影地情報と区別して登録する登録部と、
通信可能な端末のアドレス、及び所定のアイテムに関する情報を記憶する個人情報記憶部と、
前記撮影地情報が前記登録部に登録された際に、前記撮影時のアイテムの中に前記所定のアイテムと一致するものが含まれる場合、前記撮影地情報、及び前記撮影時のアイテムに関する情報を前記アドレスに通知する通知部と
を備えることを特徴とする画像評価サーバ。
【請求項２】
前記画像データには、更に撮影条件に関する情報が関連付けられ、
前記通知部は、前記撮影地情報が前記登録部に登録された際に、前記撮影時のアイテムの中に前記所定のアイテムと一致するものが含まれる場合、前記撮影条件に関する情報を前記アドレスに通知することを特徴とする請求項１記載の画像評価サーバ。
【請求項３】
前記登録部に登録された前記撮影地情報が関連づけられている前記画像データの中から、前記所定のアイテムの中の少なくとも一つと一致する撮影時のアイテムに関する情報が関連づけられている前記画像データを検索する検索部と、
前記検索部によって検索された前記画像データと関連付けられている前記撮影地情報を報知する報知部と
を備えることを特徴とする請求項１または２記載の画像評価サーバ。
【請求項４】
前記報知部は、前記検索部によって検索された前記画像データに関連付けられている前記撮影条件に関する情報を報知することを特徴とする請求項３記載の画像評価サーバ。
【請求項５】
前記撮影時のアイテム及び前記所定のアイテムは、撮像装置の機種、撮影レンズの機種、前記撮影レンズに装着されたフィルタの種類の中の少なくとも一つを含むことを特徴とする請求項１〜４の何れか一項に記載の画像評価サーバ。
【発明の詳細な説明】
【技術分野】
【０００１】
本発明は、画像評価サーバに関するものである。
【背景技術】
【０００２】
従来、WEBサイトにアップロードされた画像の画像データを所定のキーワードと関連付けてサーバに登録するシステムが知られている（例えば、非特許文献１参照）。このWEBサイトによれば、例えば、「春」等のキーワードを入力して検索することにより、「春」に関連する画像を閲覧することができる。
【先行技術文献】
【非特許文献】
【０００３】
【非特許文献１】http://www.nagano-tabi.net/modules/suteki/（長野県公式観光ウェブサイト  さわやか信州旅.net）
【発明の概要】
【発明が解決しようとする課題】
【０００４】
しかしながら、上述のWEBサイトにおいては、自由に画像データをアップロードすることができるため登録情報が雑多になりがちである。このため、撮影地を探したいユーザは、有用な情報に絞り込まれた検索結果を得ることができない場合がある。
【０００５】
また、上述のWEBサイトを用いて所望の撮影地を検索できたとしても、同じ撮影地で上手に写真を撮影するためにはどうすればよいのかが分からないという問題がある。
【０００６】
本発明の目的は、上手な写真を撮影するための有用な情報を提供することができる画像評価サーバを提供することである。
【課題を解決するための手段】
【０００７】
本発明の画像評価サーバは、撮影地情報、及び撮影時のアイテムに関する情報が関連付けられた画像データを記憶する画像記憶部と、前記画像データに対する評価の評価値を取得する評価取得部と、前記画像記憶部に記憶されている前記画像データに前記評価取得部により取得した前記評価値を関連付けて記憶させる記憶制御部と、前記画像データに関連付けられた前記評価値が所定の閾値を超えた場合、前記画像データに関連付けられている撮影地情報を、前記評価値が前記所定の閾値を超えていない他の画像データに関連付けられている他の撮影地情報と区別して登録する登録部と、通信可能な端末のアドレス、及び所定のアイテムに関する情報を記憶する個人情報記憶部と、前記撮影地情報が前記登録部に登録された際に、前記撮影時のアイテムの中に前記所定のアイテムと一致するものが含まれる場合、前記撮影地情報、及び前記撮影時のアイテムに関する情報を前記アドレスに通知する通知部とを備えることを特徴とする。
【発明の効果】
【０００８】
本発明の画像評価サーバによれば、上手な写真を撮影するための有用な情報を提供することができる。
【図面の簡単な説明】
【０００９】
【図１】実施の形態に係る画像評価システムの構成を示すブロック図である。
【図２】実施の形態に係る画像評価サーバの構成を示すブロック図である。
【図３】実施の形態に係る端末の構成を示すブロック図である。
【図４】実施の形態に係る画像評価システムにおける画像評価処理を示すフローチャートである。
【図５】実施の形態に係る画像評価システムにおける撮影名所検索処理を示すフローチャートである。
【発明を実施するための形態】
【００１０】
以下、図面を参照して本発明の実施の形態に係る画像評価システムについて説明する。図１は、実施の形態に係る画像評価システム２の構成を示すブロック図である。画像評価システム２は、画像の評価処理を行う画像評価サーバ４を備え、画像評価サーバ４はネットワーク６を介して種々の端末８と通信可能となっている。
【００１１】
ここで、上記端末８には、デジタルカメラＡ、スマートフォン、デジタルカメラＢ、タブレット端末、デジタルカメラＣのように画像を撮影することが可能な撮像装置のほか、画像データを保存可能なパソコンなどが含まれている。いずれの端末８も、画像評価サーバ４に対して通信接続可能な通信装置を内蔵、または外部機器として装着している。
【００１２】
図２は、実施の形態に係る画像評価サーバ４の構成を示すブロック図である。画像評価サーバ４は、画像を位置情報に対応付けて表示するとともに、通信可能な端末からの画像評価を受け付ける画像評価サイト（図示せず）を提供するサーバであり、画像評価サーバ４の各部を統括的に制御するＣＰＵ２０を備えている。ＣＰＵ２０には、ネットワーク６を介して端末８との通信を行う通信部２２、アドレス等の個人情報を予め記憶する個人情報記憶部２４、ネットワーク６を介して端末８からアップロードされた画像の画像データを記憶する画像記憶部２６、及び所定の評価がなされた画像の撮影地点の位置情報を記憶する撮影名所記憶部２８が接続されている。
【００１３】
ここで、個人情報記憶部２４には、端末８のユーザのＩＤ、パスワード、アドレス、及び所定のアイテムに関する情報等が個人情報として予め登録されている。なお、以下では、個人情報記憶部２４に個人情報を登録している端末８（デジタルカメラＡ、デジタルカメラＢ、デジタルカメラＣ）のユーザを一般のユーザと区別し、登録者という。また、所定のアイテムとは、例えば、登録者が所有するカメラの機種、撮影レンズの機種、フィルタの種類等である。
【００１４】
図３は、実施の形態に係る画像評価サーバ４と通信可能な端末８の構成を示すブロック図である。この端末８は、ＣＰＵ３０を備え、ＣＰＵ３０には、ネットワーク６を介して画像評価サーバ４との間で通信を行う通信部３２、ＬＣＤ表示部３８、被写体光を撮像して撮像信号を生成する撮像素子４１、及び画像データを記憶するメモリカード５２を装着するメモリカードスロット５３が接続されている。ただし、パソコンは撮像素子４１を備えていない。
【００１５】
次に、実施の形態に係る画像評価サーバ４によって提供される画像評価サイトに画像をアップロードする処理について説明する。登録者のうち画像をアップロードしようとする者（アップローダ）は、端末８（例えばデジタルカメラＡ）から画像評価サイトへアクセスする。次に、アップローダにより、端末８に装着されたメモリカード５２に記憶されている画像データの中から一枚または複数枚の画像データが選択され、画像評価サイトにアップロードされる。ここで、メモリカード５２に記憶されている画像データにはタグ情報として、ファイル名、位置情報、撮影日時情報、及び撮影条件に関する情報（例えば、絞り、シャッタ速度、焦点距離、ＩＳＯ等）、サムネイル画像データ等が付加されている。
【００１６】
なお、画像のアップロードの際には、アップローダによって、撮影時のアイテムに関する情報が画像データに付加される。ここで撮影時のアイテムとは、例えば、アップローダが使用した撮像装置（デジタルカメラＡ）や撮影レンズの機種、撮影レンズに装着したフィルタの種類等である。
【００１７】
次に、画像評価サーバ４のＣＰＵ２０は、画像評価サイトにアップロードされた画像を公開し閲覧可能な状態とすると共に、アップロードされた画像の画像データを画像記憶部２６に記憶する。
【００１８】
次に、図４に示すフローチャートを参照して、実施の形態に係る画像評価サーバ４における画像評価処理について説明する。なおフローチャートは、画像評価サーバ４のＣＰＵ２０を主体として記載されている。
【００１９】
まず、画像を評価しようとする者（評価者）が、端末８（デジタルカメラＡ、スマートフォン、デジタルカメラＢ、タブレット端末、デジタルカメラＣ、パソコン）のブラウザから画像評価サイトへアクセスすると、端末８のＬＣＤ表示部３８に画像評価サイトの画面が表示される。
【００２０】
次に、評価者により、画像評価サイトに掲載されている画像の評価が入力される。例えば、評価者は、画像評価サイトに掲載されている複数の画像の中から図示しない画像Ｘを選択し、画像Ｘに対する評価点数を入力する。ここで、画像Ｘは画像データＸ´（図示せず）に基づく画像であり、撮影地点Ｙ（図示せず）で撮影されたものとして以下の説明を行う。
【００２１】
画像Ｘに対する評価点数が入力されると、画像評価サーバ４のＣＰＵ２０は、画像記憶部２６に記憶されている画像Ｘの画像データＸ´に評価点数を付加する（ステップＳ１）。ここで、画像データＸ´に既に評価点数が付加されている場合、既に画像データＸ´に付加されている評価点数に新たな評価点数が加算される。
【００２２】
次に、ＣＰＵ２０は、画像データＸ´に付加されている評価点数の合計が所定の点数を超えたか否かを判定する（ステップＳ２）。合計が所定の点数を超えていない場合（ステップＳ２：Ｎｏ）、ステップＳ１に戻り、継続して画像Ｘに対する評価を受付ける。一方、合計が所定の点数を超えた場合（ステップＳ２：Ｙｅｓ）、ＣＰＵ２０は、画像Ｘの撮影地点Ｙを評価点数の合計が所定の点数を超えていない画像の撮影地点と区別し、撮影地点Ｙを「撮影名所」として登録（以下、名所登録という。）する（ステップＳ３）。例えば、画像データＸ´に付加されている撮影地点Ｙの位置情報を撮影名所情報として撮影名所記憶部２８に記憶する。
【００２３】
次に、ＣＰＵ２０は、元の画像データＸ´に付加されている撮影時のアイテムに関する情報を読み出す。例えば、画像データＸ´に撮影時のアイテムに関する情報として、「カメラα」、「レンズβ」、「フィルタγ」のような情報が付加されている場合、これらの情報を読み出す。
【００２４】
次に、ＣＰＵ２０は、撮影時のアイテムに関する情報に基づいて個人情報記憶部２４に記憶されている個人情報を検索し、撮影時のアイテムの中の少なくとも一つと一致するアイテムを登録している登録者がいるか否かを判定する（ステップＳ４）。例えば、「カメラα」、「レンズβ」、「フィルタγ」の中の少なくとも一つと同じアイテムを所定のアイテムに関する情報として登録している登録者がいるか否かを判定する。
【００２５】
撮影時のアイテムの中の少なくとも一つと一致するアイテムを登録している登録者がいない場合、（ステップＳ４：Ｎｏ）、ＣＰＵ２０は、登録者への通知を行わずに一連の処理を終了する。一方、撮影時のアイテムの中の少なくとも一つと一致するアイテムを登録している登録者がいる場合（ステップＳ４：Ｙｅｓ）、ＣＰＵ２０は、登録者のアドレスに対して、撮影地点Ｙの撮影名所情報を通知する（ステップＳ５）。
【００２６】
例えば、デジタルカメラＢ（図１参照）を所有する登録者ＢがデジタルカメラＢの機種「カメラα」とその交換レンズ「レンズβ」を個人情報記憶部２４に登録し、撮影名所情報の通知を希望するデジタルカメラＣ（図１参照）を所有する登録者ＣがデジタルカメラＣの交換レンズ「レンズβ」とそのフィルタ「フィルタγ」を個人情報記憶部２４に登録していたとする。
【００２７】
この場合、ＣＰＵ２０は、登録者ＢのデジタルカメラＢのメールアドレスに宛てて、「カメラα、レンズβ、フィルタγを用いて撮影するのに適した新名所をお知らせします。」等のメッセージを記載した電子メールを送信する。また、登録者ＣのデジタルカメラＣのメールアドレスに宛てて、「カメラα、レンズβを用いて撮影するのに適した新名所をお知らせします。」等のメッセージを記載した電子メールを送信する。
【００２８】
また、電子メールには、撮影地点Ｙの撮影名所情報、元の画像データＸ´、画像データＸ´に付加されている撮影条件に関する情報等を添付して送信する。
【００２９】
次に、図５に示すフローチャートを参照して、実施の形態に係る画像評価システム２の撮影名所検索処理について説明する。なおフローチャートは、画像評価サーバ４のＣＰＵ２０を主体として記載されている。まず、登録者により画像評価サイトへのアクセスがなされると、端末８のＬＣＤ表示部３８（図３参照）に画像評価サイトの画面が表示される。ここで、画像評価サイトの画面には、例えば「会員用検索」等のような、登録者が撮影名所を検索するためのボタン（図示せず）が表示されている。
【００３０】
次に、登録者が「会員用検索」等のボタンを操作すると、ＬＣＤ表示部３８にＩＤとパスワードの入力を要求する認証画面が表示される。この認証画面においてＩＤとパスワードの入力が行われると、画像評価サーバ４のＣＰＵ２０は、ネットワーク６を介してＩＤとパスワードを受信し、受信したＩＤ及びパスワードと、個人情報記憶部２４に記憶されているＩＤ及びパスワードとを照合する（ステップＳ１１）。
【００３１】
ＩＤとパスワードが一致すると、この登録者が所有する端末８（デジタルカメラＡ、デジタルカメラＢ、デジタルカメラＣの何れか）のＬＣＤ表示部３８に会員用検索画面が表示される。ここで、会員用検索画面には、例えば、検索したい撮影名所を絞り込むための地図が表示される。
【００３２】
次に、登録者により、検索したい撮影名所のエリアが選択されると、ＣＰＵ２０は、撮影地点が名所登録された画像データのうち、選択されたエリア内で撮影された画像の画像データを画像記憶部２６から読み出す（ステップＳ１２）。
【００３３】
次に、ＣＰＵ２０は、個人情報記憶部２４から、この登録者が登録している所定のアイテムに関する情報である、例えば、「カメラα」、「レンズβ」、「フィルタγ」を読み出す。そして、撮影時のアイテムに関する情報として、「カメラα」、「レンズβ」、「フィルタγ」の中の少なくとも一つが付加されている画像データを、ステップＳ１２で読み出した画像データの中から選出する（ステップＳ１３）。例えば、撮影時のアイテムに関する情報として「カメラα」、「レンズβ」、「フィルタγ」が付加されている画像データＸ´を含む、複数の画像データを選出する。
【００３４】
次に、ＣＰＵ２０は、選出された画像データに付加されているサムネイル画像データを読み出し、サムネイル画像の一覧をＬＣＤ表示部３８に表示させる。ここで、登録者の操作により、拡大して見たいサムネイル画像が選択されると、ＣＰＵ２０は、サムネイル画像の元画像をＬＣＤ表示部３８に表示させる（ステップＳ１４）。例えば、画像Ｘのサムネイル画像が選択された場合、ＣＰＵ２０は、画像データＸ´に基づく画像ＸをＬＣＤ表示部３８に表示させる。
【００３５】
また、ＣＰＵ２０は、画像Ｘの撮影地点Ｙの撮影名所情報、画像データＸ´に付加されている撮影時のアイテムに関する情報（「カメラα」、「レンズβ」、「フィルタγ」）、及び画像データＸ´に付加されている撮影条件に関する情報等を画像Ｘの近傍に表示させる（ステップＳ１５）。
【００３６】
この実施の形態に係る画像評価システム２によれば、名所登録がなされた場合に、撮影名所情報と共に撮影時のアイテムに関する情報、撮影条件に関する情報を通知するため、登録者は上手な写真を撮影するための有用な情報を得ることができる。このため、撮影技術が未熟な登録者は、初めて訪れた撮影名所であっても、上手な写真を撮影することができる。また、撮影時のアイテムに関する情報を通知するため、登録者は、複数種類のカメラ、レンズ、フィルタを登録していても的確に機種選択をすることができる。
【００３７】
また、撮影名所情報の通知は、登録者が個人情報記憶部２４に登録したアイテムを用いて撮影された画像が名所登録された場合に行われるため、登録されているアイテムを用いて登録者が現実に撮影できそうな厳選された撮影名所の情報を通知することができる。
【００３８】
また、登録者が撮影名所情報を検索した場合、登録者が個人情報記憶部２４に登録したアイテムを用いて撮影された画像の撮影名所情報が表示されるため、登録者は、所有するアイテムを用いて撮影できそうな撮影地を効率よく検索することができる。
【００３９】
また、上述の実施の形態において、撮影時のアイテムに関する情報は、画像を閲覧した端末８のユーザが画像データに付加してもよく、画像に評価点数を入力した評価者が画像データに付加してもよい。
【符号の説明】
【００４０】
２…画像評価システム、４…画像評価サーバ、６…ネットワーク、８…端末、２０…ＣＰＵ、２２…通信部、２４…個人情報記憶部、２６…画像記憶部、２８…撮影名所記憶部、３０…ＣＰＵ、３２…通信部、３８…ＬＣＤ表示部
【図１】
2015026107.tif 000003
【図２】
2015026107.tif 000004
【図３】
2015026107.tif 000005
【図４】
2015026107.tif 000006
【図５】
2015026107.tif 000007